(57)【要約】【課題】人の有無や窓の開閉状態により部屋の空調機器や照明機器を家庭内情報端末で自動的に制御すること。【解決手段】家庭内情報端末１と接続された開閉センサー２３や人感センサー２４と、空調機器２１や照明機器２２とを備え、開閉センサー２３や人感センサー２４の検知情報に基づいて家庭内情報端末１により空調機器２１及び照明機器２２を自動的に制御する。【選択図】図１
2005176009.tif 000002
【特許請求の範囲】
【請求項１】
家庭内情報端末と、前記家庭内情報端末に接続された空調機器及び／または照明機器と、開閉センサー及び／または人感センサーとを備え、相互に通信・制御を行い、前記家庭内情報端末は、前記開閉センサー及び／または人感センサーの情報により前記空調機器及び／または照明機器を自動制御する構成とした家庭内情報システム。
【請求項２】
家庭内情報端末に選択手段を設け、前記選択手段により自動制御を入・切できる構成とした請求項１に記載の家庭内情報システム。
【請求項３】
家庭内情報端末に表示手段を設け、前記表示手段は、空調機器及び／または照明機器の制御状態を表示する様に構成した請求項１または２に記載の家庭内情報システム。
【請求項４】
家庭内情報端末に通信手段を設け、前記通信手段により、自動制御実施時に指定の通信端末に通報したり、通信端末より自動制御を入・切できる構成とした請求項１〜３のいずれか１項に記載の家庭内情報システム。
【請求項５】
家庭内情報端末にメモリー手段及び時計手段を設け、一定期間内の自動制御実施状況を記録する構成とした請求項１〜４のいずれか１項に記載の家庭内情報システム。
【発明の詳細な説明】
【技術分野】
【０００１】
本発明は家庭内情報端末により空調設備や照明設備を制御し、さらに前記家庭内情報端末と開閉センサーや人感センサーを組み合わせたセキュリティシステムを実現した家庭内情報システムに関するものである。
【背景技術】
【０００２】
従来、この種の家庭内情報システムなどの総合監視制御システムは複数のセンサーを接続し、各センサーの人体検知状況を個別に判別する制御装置からなる人体検知システムを、夜間は防犯用、昼間は照明器具の点灯制御用や空調機器の運転制御用として用い、前記防犯用と照明器具や空調機器の制御用の切換を、鍵がキーボックス内に収納されたことを検出する鍵管理システムからの情報により中央制御装置にて行い、総合監視制御システムの有効利用を実現している。また、前記総合監視制御システムの防犯用と照明器具や空調機器の制御用の切換を、タイマを用いて行ったり、前記人体検知システムにおける人体検出の有無により行っている。また、前記同様の切換を前記人体検知システムに最終退出者の退出を検出する機能を設け、最終退出者が退出した後は防犯用に切換え、更にシステムの有効利用を実現している（例えば、特許文献１参照）。
【０００３】
また、個別に運転状況やセキュリティ情報を家庭内情報端末に表示し使用者が判断・制御し省電力を実現しているものもある。
【０００４】
図２は、特許文献１に記載された従来の家庭内情報システムを示すものである。図２に示すように、制御装置１に複数のセンサー２が接続された人体検知システム３と、同様に制御装置４にキーボックス５が接続された鍵管理システム６と、制御装置７に複数の照明器具８が接続された照明制御システム９と、制御装置１０に複数の空調機器１１が接続された空調制御システム１２と、前記人体検知システム３の制御装置１及び、鍵管理システム６の制御装置４及び、照明制御システム９の制御装置７及び空調制御システム１２の制御装置１０と接続された中央制御装置１３と、前記中央制御装置１３に接続された出力装置１４から構成されている。
【特許文献１】特開平５−１１１０７７号公報
【発明の開示】
【発明が解決しようとする課題】
【０００５】
しかしながら、前記従来の構成では、窓やドアなどの開閉を検出する機能がなく、窓やドアが開閉に合わせた空調機器や照明機器の制御が出来ない。また、制御装置が各システムごとに必要でありシステムが大規模になってしまう。また、人体検知システムを、夜間は防犯用、昼間は照明器具の点灯制御用や空調機器の運転制御用として切換えて用いるため、一日を通して利用することが出来ない。また、表示手段が無く使用者に各機器の運転状態などを報知することが出来ない。また、電話機との情報通信機能においても外部への通報のみであり、外部（家庭外）から運転状態などを確認・制御することが出来ないと言う課題を有していた。
【０００６】
更に、開閉センサーによる窓やドアの開閉情報や人感センサーによる各部屋ごとの人の有無の情報を家庭内情報端末により使用者が確認・判断し、空調機器や照明機器を制御する事で省電力化を実現する場合、使用者が随時家庭内端末により確認し、且つ制御しなければならないため、効率的な省電力化が困難であるという課題を有していた。
【０００７】
本発明は、前記従来の課題を解決するもので、家庭内情報端末により、自動的に空調機器や照明機器を制御し、省電力化を可能とした家庭内情報システムを提供することを目的とする。
【課題を解決するための手段】
【０００８】
前記従来の課題を解決するために、本発明の家庭内情報システムは、開閉センサー及び人感センサーの情報により空調機器及び照明機器を家庭内情報端末により自動的に制御する様な構成としたものである。
【０００９】
これによって、使用者が随時家庭内端末により確認し、且つ制御する必要がなくなるため、効率的な省電力化が可能となる。
【発明の効果】
【００１０】
本発明の家庭内情報システムは、自動的に空調機器や照明機器を制御し、省電力を可能とすることができる。
【発明を実施するための最良の形態】
【００１１】
第１の発明は、家庭内情報端末と、前記家庭内情報端末に接続された空調機器及び／または照明機器と、開閉センサー及び／または人感センサーとを備え、相互に通信・制御を行い、前記家庭内情報端末は、前記開閉センサー及び／または人感センサーの情報により前記空調機器及び／または照明機器の運転の入／切を行うとすることにより、自動制御を可能とし、効率的な省電力化を可能とすることができる。
【００１２】
第２の発明は、特に、第１の発明の家庭内情報端末に選択手段を設け、前記選択手段により自動制御を入・切できる構成とすることにより、必要に応じ選択可能となり、より便利な機能とすることができる。
【００１３】
第３の発明は、特に、第１または第２の発明の家庭内情報端末に表示手段を設け、前記表示手段は、空調機器及び／または照明機器の制御状態を表示するとすることにより、前記空調機器や照明機器の動作状態が確認可能となり、更に便利な機能とすることができる。
【００１４】
第４の発明は、特に、第１〜３のいずれか１つの発明の家庭内情報端末に通信手段を設け、前記通信手段により、前記空調機器及び／または照明機器の自動制御実施時に指定の通信端末に通報したり、外出先の通信端末より前記家庭内情報端末を通じ、前記空調機器及び／または照明機器の自動制御を入・切できる構成とすることにより、外部（家庭外）から確認・制御することが可能となり更に便利な機能とすることができる。
【００１５】
第５の発明は、特に、第１、第２及び第４のいずれか１つの発明の家庭内情報端末に第３の発明の表示手段及び新たにメモリー手段及び時計手段を設け、一定期間内の自動制御実施状況を記録し、前記表示手段にて表示する構成とすることにより、前記空調機器や照明機器の動作結果を確認することが可能となり、更なる省電力化を図るための便利な機能とすることができる。
【００１６】
以下、本発明の実施の形態について、図面を参照しながら説明する。なお、この実施の形態によって本発明が限定されるものではない。
【００１７】
（実施の形態１）
図１は、本発明の実施の形態における家庭内情報システムの構成図を示すものである。
【００１８】
図１において、家庭内情報端末１５は表示装置１６及び自動制御入・切ボタン１７を外面に、内部にメモリー手段１８及び時計手段１９及び通信手段２０を有したものであり、空調機器２１及び照明機器２２や開閉センサー２３及び人感センサー２４と有機的に関連して自動制御システムを構成している。
【００１９】
更に、前記家庭内情報端末１５は内部の通信手段２０により、電話回線２５を経由して通信端末としての外部電話機２６と接続したものであり、外部電話機２６と有機的に関連して、指定された外部電話機２６への通報及び外部の電話機２６から自動制御を行う機能を構成している。
【００２０】
以上のように構成された家庭内情報システムについて、以下その動作、作用を説明する。
【００２１】
まず、窓（図示せず）に設置された開閉センサー２３にて前記窓の開閉状態を検出し、家庭内情報端末１５に情報を送る。次に、前記家庭内情報端末１５はメモリー手段１８及び時計手段１９により、一定時間以上、窓が開いた状態の継続を確認・判断した後、開閉センサー２３と同じ場所（部屋）に設置・動作している空調機器２１に停止の指示を行い、空調機器２１は動作停止となる。
【００２２】
以上のように、本実施の形態においては家庭内情報端末１５で開閉センサー２３の検出情報を判断することにより、空調機器２１の動作を制御することが可能となり、長時間窓が開いていた場合、空調機器２１の動作を停止させ、無駄な電力の消費を抑えると共に、前記家庭内情報端末１５の表示装置１６に表示させることにより、使用者に報知することができる。
【００２３】
また、本実施の形態では部屋に設置された人感センサー２４にて人がいないことを検出し、家庭内情報端末１５に情報を送る。次に、前記家庭内情報端末１５は一定時間以上部屋に人がいない状態の継続を確認・判断した後、人感センサー２４と同じ部屋に設置・動作している照明機器２２や空調機器２１に動作停止や設定温度の変更の指示を行うことにより、照明機器２２や空調機器２１の動作を制御することが可能となり、長時間人がいない場合、前記同様空調機器２１の動作停止及び設定温度の変更や照明機器２２の動作を停止させ、電力消費を抑えると共に前記同様に家庭内情報端末１５の表示装置１６に表示させることにより、使用者に報知をすることもできる。
【００２４】
また、本実施の形態では窓に設置された開閉センサー２３の検出情報により、窓が開いている状態であった場合において、外出先より電話機２６にて空調機器２１の自動制御を入にした時、前記家庭内情報端末１５より前記電話機２６に窓が開いている旨を報知することにより、前記空調機器２１の動作を中止させ、無駄な電力消費を防止することができる。
【００２５】
また、本実施の形態では部屋に設置された人感センサー２４の検出情報により、部屋に人がいる状態であった場合において、外出先より電話機２６にて照明機器２２の動作停止の指示をした時、前記家庭内情報端末１５より前記電話機２６に人がいる旨を報知することにより、照明を間違って切ることを防止することができる。
【００２６】
また、本実施の形態では窓に設置された開閉センサー２３の検出情報により、窓が開いている状態で且つ、前記家庭内情報端末１５が内部の時計手段１９により夜と判断した場合において、前記家庭内情報端末１５にて照明機器２２を動作させることにより、部屋を明るくし防犯機能を実現することができる。
【産業上の利用可能性】
【００２７】
以上のように、本発明にかかる家庭内情報システムは、自動的に空調機器や照明機器を制御することが可能となるので、他の家庭内機器の省電力化や防犯等の用途にも適用できる。
【図面の簡単な説明】
【００２８】
【図１】本発明の実施の形態１における家庭内情報システムの構成図
【図２】従来の家庭内情報システムの構成図
【符号の説明】
【００２９】
１５  家庭内情報端末
１６  表示装置（表示手段）
１７  自動制御入・切ボタン（選択手段）
１８  メモリー手段
１９  時計手段
２０  通信手段
２１  空調機器
２２  照明機器
２３  開閉センサー
２４  人感センサー
【図１】
2005176009.tif 000003
【図２】
2005176009.tif 000004